【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
遊技領域が形成され、当該遊技領域に向けて遊技媒体が打ち込まれる遊技盤と、
前記遊技盤の遊技領域に配置され、遊技領域に向けて打ち込まれた遊技媒体を受け入れ可能な第１始動口と、
遊技領域に向けて打ち込まれた遊技媒体が前記第１始動口に受け入れられたことを検出する第１始動検出手段と、
前記第１始動検出手段による遊技媒体の検出に応じて、抽選結果に小当りおよび特別当りを含む抽選を行う第１の抽選手段と、
前記第１始動口よりも上方に配置され、開閉動作が可能な一対の開閉片、当該一対の開閉片の下流側に配置されると共に遊技媒体を受け入れ可能な大当り受入口およびハズレ受入口を、少なくとも有する役物と、
前記第１の抽選手段による抽選にて小当りに当選したことに応じて、小当り遊技として前記一対の開閉片の開閉動作を実行可能な役物開閉実行手段と、
前記小当り遊技が実行されたことによって前記大当り受入口に遊技媒体が受け入れられたことを検出する受入検出手段と、
前記受入検出手段による遊技媒体の検出に応じて、前記役物開閉実行手段により前記一対の開閉片を一定パターンで開閉させるラウンド動作を実行することによって多くの賞球を獲得できる特別遊技状態を発生させる特別遊技状態発生手段と、
前記遊技盤の遊技領域に配置され、遊技媒体が通過可能な通過口と、
前記通過口を遊技媒体が通過したことを検出する通過検出手段と、
前記通過検出手段による遊技媒体の検出に応じて前記第１の抽選手段による抽選とは異なる抽選を行う第２の抽選手段と、
前記遊技盤の遊技領域に配置され、閉状態と当該閉状態よりも遊技媒体を受け入れ易い開状態との間で開閉動作可能な可動片を有する第２始動口と、
前記第２の抽選手段における抽選に当選したことに応じて前記可動片の開閉動作を実行可能な第２始動口開閉実行手段と、
遊技領域に向けて打ち込まれた遊技媒体が前記第２始動口に受け入れられたことを検出する第２始動検出手段と、を含み、
前記役物開閉実行手段は、
前記第２始動検出手段により遊技媒体が検出されたとき、前記第１始動検出手段による遊技媒体の検出に基づく前記一対の開閉片の開閉動作時間よりも長くなるように、前記一対の開閉片の開閉動作をさらに実行可能であり、
前記第１の抽選手段は、
前記特別当りに当選したか否かを判定し、当該特別当りに当選していない場合にのみ前記小当りに当選したか否かを判定すると共に、
前記特別遊技状態発生手段は、
前記第１の抽選手段による抽選にて前記特別当りに当選した場合には、前記小当り遊技を行うことなく、ラウンド数が予め設定された前記ラウンド動作を実行することによって多くの賞球を獲得できる特別遊技状態を発生させること
を特徴とする遊技機。
【請求項２】
少なくとも前記第１の抽選手段による抽選結果を、所定の演出を行ったのちに表示する表示手段と、
少なくとも前記役物開閉実行手段により前記一対の開閉片の開閉動作が実行されているときに、前記第１始動検出手段または前記第２始動手段により遊技媒体が検出されたことに応じて前記表示手段によって表示される前記第１の抽選手段による抽選結果の表示を留保可能な留保手段と、
前記役物開閉実行手段により開閉動作中の前記一対の開閉片の開閉動作の終了または発生中の特別遊技状態の終了に応じて、前記留保手段によって留保された前記表示手段における前記第１の抽選手段による抽選結果の表示の留保を解除する留保解除手段と、
前記留保解除手段によって前記表示手段における前記第１の抽選手段による抽選結果の表示の留保が解除されることに応じて効果音を出力する効果音出力手段と、
前記留保手段によって留保された前記表示手段による前記第１の抽選手段による抽選結果の表示が前記留保解除手段によって解除されてから前記役物開閉実行手段による前記開閉片の開閉動作が実行されるまでの待機時間を、前記留保手段によって留保された前記表示手段における前記第１の抽選手段による抽選結果の表示の留保が前記留保解除手段によって解除されるときの留保数に基づいて決定する待機時間決定手段と、をさらに含み、
前記役物開閉実行手段が、前記待機時間決定手段によって決定された待機時間が経過したことに応じて前記一対の開閉片の開閉動作を実行することを特徴とする請求項１に記載の遊技機。
【請求項３】
前記待機時間決定手段は、前記待機時間を、前記留保手段によって留保された前記表示手段における前記第１の抽選手段による抽選結果の留保数Ｎが、Ｎ＝１である場合よりもＮ＝４である場合の方が長くなるように決定することを特徴とする請求項２に記載の遊技機。
【請求項４】
前記留保手段により留保されている前記表示手段における前記第１の抽選手段による抽選結果の留保数を表示可能な留保表示器がさらに含まれていることを特徴とする請求項２または３に記載の遊技機。
【手続補正２】
【補正対象書類名】明細書
【補正対象項目名】００１２
【補正方法】変更
【補正の内容】
【００１２】
前記課題を解決するための本発明に係る遊技機は、遊技領域が形成され、当該遊技領域に向けて遊技媒体が打ち込まれる遊技盤と、前記遊技盤の遊技領域に配置され、遊技領域に向けて打ち込まれた遊技媒体を受け入れ可能な第１始動口と、遊技領域に向けて打ち込まれた遊技媒体が前記第１始動口に受け入れられたことを検出する第１始動検出手段と、前記第１始動検出手段による遊技媒体の検出に応じて、抽選結果に小当りおよび特別当りを含む抽選を行う第１の抽選手段と、前記第１始動口よりも上方に配置され、開閉動作が可能な一対の開閉片、当該一対の開閉片の下流側に配置されると共に遊技媒体を受け入れ可能な大当り受入口およびハズレ受入口を、少なくとも有する役物と、前記第１の抽選手段による抽選にて小当りに当選したことに応じて、小当り遊技として前記一対の開閉片の開閉動作を実行可能な役物開閉実行手段と、前記小当り遊技が実行されたことによって前記大当り受入口に遊技媒体が受け入れられたことを検出する受入検出手段と、前記受入検出手段による遊技媒体の検出に応じて、前記役物開閉実行手段により前記一対の開閉片を一定パターンで開閉させるラウンド動作を実行することによって多くの賞球を獲得できる特別遊技状態を発生させる特別遊技状態発生手段と、前記遊技盤の遊技領域に配置され、遊技媒体が通過可能な通過口と、前記通過口を遊技媒体が通過したことを検出する通過検出手段と、前記通過検出手段による遊技媒体の検出に応じて前記第１の抽選手段による抽選とは異なる抽選を行う第２の抽選手段と、前記遊技盤の遊技領域に配置され、閉状態と当該閉状態よりも遊技媒体を受け入れ易い開状態との間で開閉動作可能な可動片を有する第２始動口と、前記第２の抽選手段における抽選に当選したことに応じて前記可動片の開閉動作を実行可能な第２始動口開閉実行手段と、遊技領域に向けて打ち込まれた遊技媒体が前記第２始動口に受け入れられたことを検出する第２始動検出手段と、を含み、前記役物開閉実行手段は、前記第２始動検出手段により遊技媒体が検出されたとき、前記第１始動検出手段による遊技媒体の検出に基づく前記一対の開閉片の開閉動作時間よりも長くなるように、前記一対の開閉片の開閉動作をさらに実行可能であり、前記第１の抽選手段は、前記特別当りに当選したか否かを判定し、当該特別当りに当選していない場合にのみ前記小当りに当選したか否かを判定すると共に、前記特別遊技状態発生手段は、前記第１の抽選手段による抽選にて前記特別当りに当選した場合には、前記小当り遊技を行うことなく、ラウンド数が予め設定された前記ラウンド動作を実行することによって多くの賞球を獲得できる特別遊技状態を発生させることを特徴とする。
【手続補正３】
【補正対象書類名】明細書
【補正対象項目名】００１３
【補正方法】変更
【補正の内容】
【００１３】
これによれば、第１始動口に遊技媒体が受け入れられると、第１の抽選手段により抽選が行われ、当該抽選にて小当りに当選すると一対の開閉片の開閉動作が実行される。一対の開閉片が開閉動作したタイミングで役物内に進入した遊技媒体が、役物の開閉片の下流側（即ち役物内）に配置されている大当り受入口に受け入れられると、一対の開閉片が一定パターンで開閉するラウンド動作が実行されて多くの賞球を獲得できる特別遊技状態が発生する。一方、通過口を遊技媒体が通過すると、第２の抽選手段により抽選が行われ、当該抽選に当選すると第２始動口の可動片が開閉動作する。第２始動口に遊技球が受け入れられた場合には、第１始動口への遊技媒体の受け入れに基づく一対の開閉片の開閉動作時間よりも長くなるように、一対の開閉片の開閉動作が実行される。第１の抽選手段による抽選にて特別当たりに当選した場合には、小当り遊技を行うことなく、ラウンド数が予め設定されたラウンド動作が実行されて、多くの賞球を獲得できる特別遊技状態が発生する。